(57)【要約】【課題】  玄関等に設けられる金属製の戸体に表面板を一体化して設けるにあたり、表面板を優れた意匠として高級感のあるものに構成する。【解決手段】  金属製の面材２ａ、２ｂを用いて形成した本体部２に、左右、上下の連結部材７、８、９、１０を螺子１１、１２、１３、１４を用いて予め一体化する一方、ベース体６に螺子６ｂを用いて木製パネル体で構成された表面板３を固定し、前記連結部材７、８、９を螺子１１ａ、１２ａ、１３ａを用いてベース体６に固定して戸体１を組み込む構成とする。【選択図】        図４
2006169875.tif 000002
【特許請求の範囲】
【請求項１】
建築物の開口部を開閉する戸体を、金属製の本体部の表面に表面板を一体化して構成するにあたり、表面板の裏面に金属製のベース体を固定し、該ベース体を、本体部に固定する構成とした建物用戸体。
【請求項２】
請求項１において、ベース体は、表面板の板厚に沿う側片部が形成されたものとし、該側片部には、外方に延出する延出片部が形成されている建物用戸体。
【請求項３】
請求項２において、本体部とベース体との固定部は、延出片部により表側から覆われるように構成されている建物用戸体。
【請求項４】
請求項２または３において、戸体は開閉揺動する構成とし、戸体を揺動自在に枢支するための丁番は、戸尻側の延出片部により表側から覆われるように構成されている建物用戸体。
【請求項５】
請求項４において、丁番は、戸体の板厚内に配されている建物用戸体。
【請求項６】
請求項２乃至５の何れかにおいて、戸先側の延出片部は、開口部に配される枠体とのあいだに形成される隙間を塞ぐ封止部に構成されている建物用戸体。
【発明の詳細な説明】
【技術分野】
【０００１】
本発明は、集合住宅の玄関等、建築物の開口部に設けられる建物用戸体の技術分野に属するものである。
【背景技術】
【０００２】
一般に、開口部を開閉する戸体（ドア）の中には、該戸体の見付け幅方向一方の端部を開口部に丁番を介して枢支して、戸体を開閉揺動させるように構成したものが知られている。このような戸体を例えばマンション等の住宅に設ける場合、防火、防犯の観点から金属製（鋼製）のものが用いられるのが一般的である。しかるに、近年、消費者には、他住宅との差別化や、高級感が要求され、戸体に高い意匠性が求められている。
【０００３】
そこで、戸体の表面に、木製の表面板等の他部材を一体化することが提唱されるが、単に表面板を接着するだけでは接着力に限界があって、重量のある表面板を用いる場合では脱落等の惧れもあり、これを防止するための一つの手段として、金属製の戸体表面に飾り板をあてがい、これを螺子を用いて止着することが提唱されている。
【特許文献１】特開平８−４４３６号公報
【発明の開示】
【発明が解決しようとする課題】
【０００４】
ところが、前記従来のものにおいて、飾り板は、表面側から挿し込まれた螺子により止着する構成となっていて、螺子頭が外部に露出して意匠性を損なうため、別途飾りモールを用いて螺子頭を覆う構成としている。このため、部品点数が増加して作業工程数が多くなるという問題があるうえ、高級感を出すべく扉体表面全体に木製パネルを設ける構成とした場合では、パネルの周囲に飾りモールが配されることになってしまい意匠性に限界があり、ここに本発明の解決すべき課題がある。
【課題を解決するための手段】
【０００５】
本発明は、上記の如き実情に鑑みこれらの課題を解決することを目的として創作されたものであって、請求項１の発明は、建築物の開口部を開閉する戸体を、金属製の本体部の表面に表面板を一体化して構成するにあたり、表面板の裏面に金属製のベース体を固定し、該ベース体を、本体部に固定する構成としたものである。
そして、このようにすることにより、表面板の固定が確りとなされ、脱落するような不具合を防止できる。
請求項２の発明は、請求項１において、ベース体は、表面板の板厚に沿う側片部が形成されたものとし、該側片部には、外方に延出する延出片部が形成されているものであり、このようにすることにより、ベース体による表面板の支持が一層堅固になるうえ、延出片部によりベース体と本体部との一体化部位（固定部）を表側から覆うことができる。
請求項３の発明は、請求項２において、本体部とベース体との固定部は、延出片部により表側から覆われるように構成されているものであり、このようにすることにより、固定部が外部に露出することがなく、優れた意匠の戸体を提供することができる。
請求項４の発明は、請求項２または３において、戸体は開閉揺動する構成とし、戸体を揺動自在に枢支するための丁番は、戸尻側の延出片部により表側から覆われるように構成されているものであり、このようにすることにより、丁番が外部に露出することがなく、優れた意匠とできるうえ、防犯性にも優れた戸体とすることができる。
請求項５の発明は、請求項４において、丁番は、戸体の板厚内に配されているものであり、このようにすることにより、戸体表面と延出片部とを面一状とすることができ、優れた意匠にできる。
請求項６の発明は、請求項２乃至５の何れかにおいて、戸先側の延出片部は、開口部に配される枠体とのあいだに形成される隙間を塞ぐ封止部に構成されているものであり、このようにすることにより、枠体との隙間が塞がれて防犯性、封止性を高めることができる。
【発明の効果】
【０００６】
請求項１の発明とすることにより、表面板の固定が確りとなされ、脱落するような不具合を防止できる。
請求項２の発明とすることにより、ベース体による表面板の支持が一層堅固になるうえ、延出片部によりベース体と本体部との一体化部位（固定部）を表側から覆うことができる。
請求項３の発明とすることにより、固定部が外部に露出することがなく、優れた意匠となる。
請求項４の発明とすることにより、丁番が外部に露出することがなく、優れた意匠となるうえ、防犯性にも優れる。
請求項５の発明とすることにより、戸体表面と延出片部とを面一状とすることができ、優れた意匠にできる。
請求項６の発明とすることにより、枠体との隙間が塞がれて防犯性、封止性を高めることができる。
【発明を実施するための最良の形態】
【０００７】
つぎに、本発明の実施の形態について、図１〜４の図面に基づいて説明する。
図面において、１は集合住宅の玄関等の開口部を開閉する戸体であって、該戸体１は、開口部を開閉揺動する構成となっており、金属製（鋼製）の本体部２と、該本体部２の表側（屋外側）に一体化される木質パネルで構成される表面板３とを備えて構成されており、戸体１の一端側縁部（戸尻側端部）と開口部の一側部とのあいだに上下方向三箇所に位置して設けられた丁番４により開口部に取り付けられ、戸体１の他端側（戸先側端部）が丁番４の軸部４ａを支点として表裏（屋内外）方向に開閉揺動するように構成されている。
【０００８】
前記本体部２は、金属製板材により構成された表裏（屋内外）一対の面材２ａ、２ｂを、これらのあいだに予め設定される空隙を存するよう折曲して互いに突き合せることにより構成されるが、一対の面材２ａ、２ｂ間にはコア材５が介装されている。そして、本体部２は、表裏面に接着剤を塗布したコア材５を面材２ａ、２ｂで挟み込み、ホットメルト加工することにより面材２ａ、２ｂとコア材５とが一体化されるように設定されている。
尚、２ｃ、２ｄ、２ｅ、２ｆは、本体部２の左右および上下の端面に沿って設けられる骨材である。
さらに、本体部２は、丁番４が取り付けられる側、即ち、戸尻側の端面の表面側部位である戸尻側端面と表面とのあいだのコーナー部が、上下方向一体にわたって切り欠かれており、これによって、該部位に段差状側面２ｇと段差状表面２ｈとが形成されている。
【０００９】
前記表面板３は、所定の板厚を有し、かつ、本体部２に対し上下方向には長いが左右方向には短い寸法に設定されたものに形成されており、後述するように、本体部２に表面板３を一体化したときに、下端縁部同士は略面一の位置関係となるが上端縁部は本体部２上端縁部よりも上方に突出し、また、右端縁部は本体部２の段差状側面２ｇと面一の位置関係となり、左端縁部は本体部２左端縁部よりも右方に位置するように設定されている。これによって、戸体１の上端縁部については表面板３に本体部２との連結代が形成される一方、左右端縁部については本体部２の左右に表面板３との連結代が形成されるように構成されている。さらに、表面板３は、裏面３ａ側と戸尻側となる右端面３ｂとのコーナー部において、丁番４取り付け部位に相当する上下方向三箇所に位置して凹溝状の切り欠き溝３ｃが形成されている。尚、戸体１のドア厚は、表面板３の板厚と、本体部２における本体部ドア厚との和となるが、本実施の形態では、表面板３の板厚を厚くして（例えば１０ｍｍ〜２０ｍｍ）表面板３に彫刻を施す等の加工が可能となる厚さを確保できるようにしており、これによって、戸体１のデザイン性が高くなるようにしている。
尚、本実施の形態では、表面板３として木質パネルが用いられているが、表面板の材質は木質に限らず、彫刻ができる等、所定の板厚を備えたパネル体であって意匠性の高いものを用いることができる。
【００１０】
６は表面板３の裏面３ａ側から一体化されるベース体であって、該ベース体６は金属製（例えばスチール製）板材を折曲して形成されており、表面板３の裏面３ａと略同形状のベース部６ａを備えている。前記ベース体６は、ベース部６ａを表面板３の裏面３ａに突き当て、頭部がベース部６ａの裏面と面一になる状態でベース部６ａを貫通する螺子６ｂを、複数箇所において表面板裏面３ａに螺合することにより一体化されるように設定されている。尚、ベース体６と表面板３とは、ベース部６ａと表面板裏面３ａとのあいだに塗布される接着剤による一体化であってもよく、さらには、前記螺子６ｂによる一体化と接着剤による一体化との両者を実施してもよい。
さらに、ベース部６ａの左右両端縁部および上下両端縁部には、それぞれ全長にわたって表側に突出する側片部６ｃ、６ｄ、６ｅ、６ｆが折曲形成され、ベース部６ａと各側片部６ｃ、６ｄ、６ｅ、６ｆにより形成された矩形の凹部に、表面板３が背面側から嵌入するように設定され、該嵌入した状態で、表面板３の左右端面３ｄ、３ｂおよび上下端面３ｅ、３ｆと各側片部６ｃ、６ｄ、６ｅ、６ｆとが当接するように設定されている。尚、表面板３の上下面３ｅ、３ｆには段差部が形成されており、上下面３ｅ、３ｆとベース体上下側片部６ｅ、６ｆとのあいだに段差が形成されないように構成されている。
【００１１】
また、前記左右側片部６ｃ、６ｄの左右方向外端縁部には、それぞれ全長にわたって左右方向外方に延出する左右の延出片部６ｇ、６ｈがそれぞれ折曲形成されており、これら左右の延出片部６ｇ、６ｈは、嵌め込まれた表面板３の表面３ｈと略面一状となっていて表面板３とともに戸体１の表面を構成するように設定されている。さらに、左右の延出片部６ｇ、６ｈの左右端縁部からは、裏面側に向けて折り返された左右の折り返し片部６ｉ、６ｊが形成されている。
尚、戸尻側の右折り返し片部６ｊには、丁番４取り付け部位に相当する上下方向三箇所において切り欠き６ｋが形成されており、丁番４を介した戸体１の開閉作動の過程で、右折り返し片部６ｊが丁番４に干渉してしまうことがないようにしている。さらに、これら切り欠き６ｋ形成部位に対向する右側片部６ｄには、嵌め込まれた表面板３に形成された切り欠き溝３ｃの溝内に嵌入する部位に位置するようにして当て板６ｍが予め一体的に固定されている。また、左側の延出片部６ｇの裏面側には、当て板６ｎが固定されたスペーサ６ｐが一体的に固定されている。
さらに、表面板３の上面３ｅと裏面３ａとで形成されるコーナー部には、左右方向所定箇所に切り欠き溝３ｇが形成されており、ベース体ベース部６ａの上端縁部には、前記切り欠き溝３ｇの溝内に嵌入する部位に位置して当て板６ｑが一体的に固定されている。
【００１２】
そして、表面板３を取り付けたベース体６を、本体部２に組み込むことで戸体１が形成されるが、本体部２の左右端縁部および上下端縁部とには、予め左右および上下の連結部材７、８、９、１０が螺子１１、１２、１３、１４を用いて一体的に固定されている。
【００１３】
つまり、本体部２の左側に固定される左連結部材７は、金属製板材で構成されており、ベース体ベース部６ａの上下方向長さと略同様の長尺体であって、平面視クランク状に折曲形成されている。そして、左連結部材７は、本体部２の表面２ａと平行となる左右片７ａ、７ｂのあいだに、これら左右片７ａ、７ｂに直交する状態でこれらを連結する中間片７ｃが形成されたものになっており、右片７ｂが本体部２の表面（表面板）２ａにおける左側端に螺子１１を用いて固定されており、該固定部が左第一固定部となっている。このとき、中間片７ｃは、本体部２の左端面と面一状態となるように固定され、左片７ａが本体部２の左端面よりも左側（外方）に突出するように設けられている。
【００１４】
一方、本体部２の右側に固定される右連結部材８は、金属製板材で構成されており、ベース体ベース部６ａの上下方向長さと略同様の長尺体であって、Ｌ字形に折曲形成されている。そして、右連結部材８は、一方の脚片８ａを本体部２の表面２ａ側における段差状表面２ｈに突き当て、他方の脚片８ｂを段差状側面２ｇに突き当てた状態とし、一方脚片８ａが本体部２に対して螺子１２を用いて固定されており、該固定部が右第一固定部となっている。このとき、他方脚片８ｂの先端は、本体部表面２ａよりも表面側に突出する長さとなっている。
【００１５】
また、本体部２上側に固定される上連結部材９は、金属製板材で構成されており、表面板３の左右方向長さと略同様の長尺体であって、Ｌ字形に折曲形成されている。そして、上連結部材９は、一方の脚片９ａを本体部上端面に突き当てて螺子１３を用いて固定されており、該固定部が上第一固定部となっている。このとき、他方の脚片９ｂは本体部表面２ａと面一状となって上方に向けて突出配設されている。
【００１６】
さらに、本体部２下側に固定される下連結部材１０は、表面板３の左右方向長さと略同様の長さを有した長尺状の金属製板材で構成されている。そして、下連結部材１０は、本体部２の下面に突き当てられて螺子１４を用いて固定されており、該固定部が下固定部となっている。このとき、下連結部材１０の表側縁部は、本体部表面２ａよりも表側に突出している。
【００１７】
このように、左右連結部材７、８そして上下連結部材９、１０が装着された本体部２に対し、表面板３が装着されたベース体６を組み込み、各連結部材７、８、９、１０をベース体６に一体化することで戸体１が構成される。
そして、本体部２にベース体６を組み込んだ状態において、左連結部材７の左片７ａはベース体左延出片部６ｇの裏面側に固定したスペーサ６ｐに対向（当接）し、右連結部材８の他方脚片８ｂの先端はベース体右側片部６ｄに対向（当接）するように設定されている。これによって、表面板３は、右端面３ｂが本体部段差状側面２ｇと面一（同位置）となり、左端面３ｄが本体部２の左端面よりも右側に変位した部位に位置するように設定されており、表面板３が対向しない本体部２の左右は、連結部材７、８の連結代（連結部）となっている。
さらに、上連結部材９の他側脚片９ｂはベース体ベース部６ａの上端縁部に対向（当接）し、下連結部材１０の表側部位はベース体下側片部６ｆに対向（当接）するように設定されている。これによって、表面板３は、下端面３ｆは本体部２下面と略面一となり、上端面３ｅは本体部２上端面よりも上側に位置しており、該表面板３の上側部位が上連結部材９の連結代となるように設定されている。
【００１８】
そして、左連結部材７の左片７ａの裏面側から挿入した螺子１１ａを、スペーサ６ｐに設けた当て板６ｎに刻設された螺子孔に螺合せしめることにより、左連結部材７とベース体６との固定がなされるように設定されており、該固定が左第二固定部となっている。
また、右連結部材８の他方脚片８ｂ先端側から挿入した螺子１２ａを、右側片部６ｄに設けた当て板６ｍに刻設された螺子孔に螺合せしめることにより、右連結部材８とベース体６との固定がなされるように設定されており、該固定が右第二固定部となっている。尚、螺子１２ａは、右折り返し片部６ｊに形成された切り欠き６ｋを介して他方脚片８ｂ先端部から挿入するように構成されており、このため、本実施の形態では、丁番４配設部位である上下方向三箇所に右第二固定部が設けられている。
【００１９】
さらに、上連結部材９の他方脚片９ｂの裏面側から挿入した螺子１３ａを、ベース体ベース部６ａの上端縁部に設けた当て板６ｑに刻設された螺子孔に螺合せしめることにより、上連結部材９とベース体６との固定がなされるように設定されており、該固定が上第二固定部となっている。また、下連結部材１０とベース体下側片部６ｆとのあいだは、螺子止め等の適宜固定手段による固定がなされており、該固定が下第二固定部となっている。
【００２０】
このように、本体部２と表面板３とは、表面板３に固定されたベース体６を左右そして上下の連結部材７、８、９、１０を用いることにより、左右および上下それぞれにおいて第一、第二固定部を介して一体化がなされており、従来の表面板を貼着するもののように表面板３の重量に制限ができてしまうような不具合がないようにしている。これによって、表面板３にある程度の板厚を持たせることができ、彫刻が可能となる等、意匠性の富んだ表面板３とすることができるように設定されている。
そして、この組み込み状態において、ベース体左右延出片部６ｇ、６ｈは、本体部２の左右端面よりも左右方向外方に突出するように延出しており、これら左右延出片部６ｇ、６ｈにより左右の第一、第二固定部が表側から覆われて表面側に固定部が露出することがないように構成され、これによって、優れた意匠の戸体１となるように設定されている。
【００２１】
このように組み込まれた戸体１を玄関等の躯体開口部に設ける場合に、丁番４を構成する一方の丁番片４ｂは躯体に設けられ、他方の丁番片４ｃは本体部２の右端面に設けられるが、丁番４の軸部４ａは、本体部２の表面側を切り欠くことで形成された部位の表側部位、即ち、右連結部材８とベース体右延出片部６ｈ、右折り返し片部６ｊにより囲繞される丁番配設スペースＳに配されている。そして、丁番４は、ベース体右側片部６ｄから延出し、本体部２の右端面よりも右側にまで突出する右延出片部６ｈの裏面側に位置しており、ベース体延出片部６ｈにより表側を覆われて目視できない（外部に露出することがない）ように構成されている。
尚、戸体１側に設けられる丁番片４ｃは、本体部２に設けられる右側部の骨材２ｄに固定されるが、骨材２ｄの内側面には、丁番４の取り付け箇所となる部位に螺子孔が刻設された当て板２ｉが一体的に設けられており、丁番片４ｃは、当て板２ｉの螺子孔に螺子４ｄを螺合することで固定されている。
【００２２】
１５は開口部に設けられた枠体であって、該枠体１５の左右側部および上側部には、戸体１の裏面（本体部２の裏面）の左右端縁部および上端縁部が突き当たる裏面側戸当り部１５ａがそれぞれ形成されており、ここに裏面側シール材１６が設けられている。さらに、枠体１５の左右側部および上側部には、表面側に位置して段差状部１５ｂが形成されており、右側部に形成される段差状部１５ｂは、戸体１側に形成される丁番配設スペースＳとともに丁番軸部４ａの配設スペースに設定されている。
一方、本体部２の左端面よりも左方に突出する左延出片部６ｇの裏面側であって、左連結部材７の左第二固定部、そして、本体部２の上端面よりも上方に突出する表面板３上縁部の裏面側となる上連結部材９の上第二固定部とは、前記枠体段差状部１５ｂの上側部と左側部とを戸当りとするように設定されている。これによって、左延出片部６ｇと表面板３の上縁部とは、枠体１５と、戸体１の左端縁部および上端縁部とのあいだに形成される隙間を表面側から塞ぐように設定されている。さらに、これら枠体段差状部１５ｂを戸当りとする左延出片部６ｇと表面板３錠縁部との裏面側、即ち、左第二固定部と上第二固定部とには、表面側シール材１７が設けられている。これによって、戸体１を閉鎖したときに、裏面側シール材１６による封止とともに表面側シール材１７による封止がなされて気密性が向上して、高気密、高断熱に寄与できるように配慮されているとともに、表面側シール材１７が、左および上第二固定部を構成する螺子１１ａ、１３ａを覆って外部に露出しないようにすることができて、意匠性のさらなる向上が図れるように構成されている。
ここで、枠体１５の表片部１５ｃは、本実施の形態では、戸体１の表面、即ち表面板表面３ｈとベース体左右延出片部６ｇ、６ｈとに対して略面一状の位置関係となっており、しかも、丁番４（丁番軸部４ａ）は戸体１の板厚内に位置し、枠体１５の表片部１５ｃよりも裏面側である枠体１５内に位置するように設定されており、これによって、戸体１表面側の意匠が一層向上するように配慮されている。
【００２３】
叙述の如く構成された本形態において、戸体１は、金属製の面材２ａ、２ｂを用いた本体部２の表面に、木製の表面板３が装着されたものになっているが、この場合に、表面板３は本体部２に対して単に貼着される構成ではなく、ベース体６を介して確りとした固定がなされるので、表面板３の重量を重くしても脱落等の心配がなく、表面板３の板厚を厚くして高級感を持たせることができるうえ、面板状に彫刻をする等して凹凸をつけることが可能となり、意匠性を高めることができる。
【００２４】
さらに、このものにおいて、戸体１は、ベース体６に表面板３の背面側を一体化し、このものを、左右、上下の連結部材７、８、９、１０がそれぞれ第一固定部により予め一体化された本体部２に、前記左右、上下の連結部材７、８、９、１０とベース体６とのあいだを第二固定部を介して一体化することにより構成されているので、木製の表面板３に一体化手段を露出させることなく本体部２に一体化させることができる。そのうえ、左右、上下の連結部材７、８、９、１０を設けた本体部２を共通部品とし、種々の意匠の表面板３を用意してベース体６に組み込むことで、多様な戸体１を提供することができる。この結果、戸体１を取り付けたままの状態でベース体６とともに表面板３を取り外し、別の意匠が施された表面板３が取り付けられたベース体６を取り付けることにより、容易に戸体の意匠を変化させることができる。さらには、既存の戸体に表面板３が取り付けられたベース体６を取り付ける（後付けする）ことも可能であり、この場合でも、戸体の意匠の交換を容易に行える。
【００２５】
しかも、連結部材７、８、９、１０と本体部２、連結部材７、８、９とベース体６とは、それぞれ螺子１１、１２、１３、１４、１１ａ、１２ａ、１３ａを用いた固定により一体化されているので、表面板３の本体部２への組み込みを一層確りとした強固な固定とすることができる。そのうえ、このものにおいて、ベース体６の左右、上下には、それぞれ表面板３の板厚に沿う左右、上下の側片部６ｃ、６ｄ、６ｅ、６ｆが形成されているため、表面板３を、ベース部６ａによる面接触部における支持の他に、側片部６ｃ、６ｄ、６ｅ、６ｆにより支持することができて、表面板３の脱落を確実に防止することができ、もって、表面板３の荷重の制限を大幅に広げることが可能となる。また、四周の側片部６ｃ、６ｄ、６ｅ、６ｆが表面板３ｄ、３ｂ、３ｅ、３ｆを覆っているため、木製で傷付きやすい表面板３の端面が保護されて、耐久性の向上を果せる。
【００２６】
また、このものにおいて、左右の側片部６ｃ、６ｄには、本体部２の左右幅を越えて外方に延出する延出片部６ｇ、６ｈが形成されていて、左右連結部材７、８と本体部２との左右第一固定部は勿論、左右連結部材７、８とベース体６との左右第二固定部が延出片部６ｇ、６ｈにより表側から覆われるので、一体化するために用いられる螺子１１、１１ａは左延出片部６ｇにより覆われ、螺子１２、１２ａは右延出片部６ｈにより覆われて表面側に露出することがなく、螺子１３、１３ａ、１４は上下面側あるいは裏面側であることから表面側に露出することがない。従って、従来の螺子を隠すために飾りモールを設ける等の構成が不要となって、戸体１の表側部位全体を木製とするような高級感のある戸体１を構成することができる。
【００２７】
さらには、このものでは、本体部２に切り欠きを形成して丁番配設スペースＳを形成し、ここに丁番４を設ける構成としたので、戸尻側の延出片部６ｈが、丁番４をも覆うことになって、戸体１を正面視したとき、丁番４が外部に露出することがなく、戸体１の意匠を一層向上させることができるうえ、防犯性にも優れたものにすることができる。そのうえ、丁番軸部４ａをベース体右延出片部６ｈにより覆う場合に、本体部２を切り欠いている分、表面板３の板厚を薄くできるという利点もある。
【００２８】
そのうえ、このものにおいて、丁番４は、表面板表面３ｈと略面一状となっている右延出片部６ｈの裏面側に位置していて、戸体１の板厚内に配設されることになるので、表面側から戸体１をみたときの意匠が一層優れるとともに、防犯性にも優れる。
【００２９】
また、このものでは、左延出片部６ｇと表面板３の上縁部とが、枠体１５と戸体１とのあいだに形成される隙間を表面側から塞ぐので、防犯性に優れるうえ、意匠性も向上する。そのうえ、このものでは、枠体段差状部１５ｂを戸当りとする左延出部６ｇと表面板３上縁部との裏面側、即ち、左第二固定部と上第二固定部とに表面側封止材１７が設けられ、これら第二固定部に配される螺子１１ａ、１３ａを隠すようにしているので、意匠性のさらなる向上が図れるうえ、表面側と裏面側との表裏方向二箇所において封止ができて、戸体１に高気密、高断熱性を付与することができる。
【図面の簡単な説明】
【００３０】
【図１】戸体の正面図である。
【図２】戸体の縦断面図である。
【図３】戸体の横断面図である。
【図４】戸体を分解した平面図である。
【符号の説明】
【００３１】
１    戸体
２    本体部
３    表面板
４    丁番
６    ベース体
６ａ    ベース部
６ｇ    左延出片部
６ｈ    右延出片部
７    左連結部材
１１    螺子
１５    枠体
【図１】
2006169875.tif 000003
【図２】
2006169875.tif 000004
【図３】
2006169875.tif 000005
【図４】
2006169875.tif 000006